(57)【特許請求の範囲】
【請求項１】
撮影により記録された画像データに基づき、表示部に画像を表示させる画像表示装置において、
表示する前記画像データの撮影時の撮影位置情報と撮影月日情報を取得する取得部と、
前記取得部が取得した前記撮影位置情報と前記撮影月日情報に基づき、該撮影位置の該撮影月日の四季を判断する撮影四季判断部と、
前記撮影四季判断部によって判断された四季に応じて前記画像表示装置周囲の温度を制御する空調制御部と、
を備えることを特徴とする画像表示装置。
【請求項２】
撮影により記録された画像データに基づき、表示部に画像を表示させる画像表示装置において、
表示する前記画像データを取得する取得部と、
前記取得部が取得した前記画像データから表示内容を解析する画像解析部と、
前記画像解析部による表示内容の解析結果に基づき、前記画像表示装置周囲の温度を制御する空調制御部と、
を備えることを特徴とする画像表示装置。
【請求項３】
撮影により記録された画像データに基づき、表示部に画像を表示させる画像表示装置において、
表示する前記画像データに付加されている音声を取得する取得部と、
前記取得部が取得した前記画像データに付加されている音声を解析する音声解析部と、
前記音声解析部による音声内容の解析結果に基づき、前記画像表示装置周囲の温度を制御する空調制御部と、
を備えることを特徴とする画像表示装置。
【請求項４】
前記取得部は、前記画像データ又は前記画像データに付加されている音声を取得し、
前記取得部が取得した前記画像データから表示内容を解析する画像解析部と、前記取得部が取得した前記画像データに付加されている音声を解析する音声解析部とをさらに備え、
前記空調制御部は、前記撮影四季判断部によって判断された四季に応じた温度と、前記画像解析部による表示内容の解析結果又は前記音声解析部による音声内容の解析結果に基づき、前記画像表示装置周囲の温度を制御することを特徴とする請求項１記載の画像表示装置。
【請求項５】
前記空調制御部は、導入した空気の温度を調整する温度調整部を有し、前記導入した空気の吹出風を送出する送風部とを含み、該送風部が送出する吹出風の設定温度を制御することを特徴とする請求項１乃至４のいずれかに記載の画像表示装置。
【請求項６】
前記空調制御部は、外部の空調装置の設定温度を制御することを特徴とする請求項１乃至４のいずれかに記載の画像表示装置。
【請求項７】
前記空調制御部は、該画像表示装置周囲の温度及び湿度を制御することを特徴とする請求項１乃至６のいずれかに記載の画像表示装置。
【請求項８】
相互に無線接続された画像表示装置と空調装置とからなる画像表示装置であって、
前記画像表示装置は、
前記空調装置に設定温度を無線送信する送信部を備え、
前記空調装置は、
前記画像表示装置の送信部から送信された前記設定温度を受信する受信部を備えることを特徴とする請求項６又は７記載の画像表示装置。
【請求項９】
前記画像表示装置の送信部は、前記設定温度を赤外線信号により送信し、
前記空調装置の受信部は、前記赤外線信号により送信された設定温度を受信することを特徴とする請求項８記載の画像表示装置。
【請求項１０】
空調を制御する空調制御部を備える画像表示装置が有するコンピュータを、
撮影により記録された画像データに基づき、表示部に画像を表示させる画像表示装置において、
表示する前記画像データの撮影時の撮影位置情報と撮影月日情報を取得する取得部と、
前記取得部が取得した前記撮影位置情報と前記撮影月日情報に基づき、該撮影位置の該撮影月日の四季を判断する撮影四季判断部と、
前記撮影四季判断部によって判断された四季に応じて前記画像表示装置周囲の温度を制御する空調制御部として機能させることを特徴とするプログラム。
【請求項１１】
空調を制御する空調制御部を備える画像表示装置が有するコンピュータを、
撮影により記録された画像データに基づき、表示部に画像を表示させる画像表示装置において、
表示する前記画像データを取得する取得部と、
前記取得部が取得した前記画像データから表示内容を解析する画像解析部と、
前記画像解析部による表示内容の解析結果に基づき、前記画像表示装置周囲の温度を制御する空調制御部として機能させることを特徴とするプログラム。
【請求項１２】
空調を制御する空調制御部を備える画像表示装置が有するコンピュータを、
撮影により記録された画像データに基づき、表示部に画像を表示させる画像表示装置において、
表示する前記画像データに付加されている音声を取得する取得部と、
前記取得部が取得した前記画像データに付加されている音声を解析する音声解析部と、
前記音声解析部による音声内容の解析結果に基づき、前記画像表示装置周囲の温度を制御する空調制御部として機能させることを特徴とするプログラム。
【発明の詳細な説明】
【技術分野】
【０００１】
本発明は、画像表示装置、画像表示システム、プログラム及び画像表示方法に関し、特に表示する画像に応じた送風を行う技術に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、所謂デジタルフォトフレームが実現され普及している（例えば、特許文献１）。
【０００４】
デジタルフォトフレームでは、デジタル方式の特性を活かし、従来のプリント写真を掲出するフォトフレームではできなかった複数の画像を順次スライドショー形式で表示するなどの多様な表示態様を実現することができる。
【先行技術文献】
【特許文献】
【０００５】
【特許文献１】特開２００９−１４１６７８号公報
【発明の概要】
【発明が解決しようとする課題】
【０００６】
しかしながら、従来のデジタルフォトフレームにあっては、スライドショー形式を採用する等の表示態様に関しては工夫されてはいるが、いずれにしろ画像を表示するという表示動作のみを行うもの過ぎない。
【０００７】
したがって、デジタルカメラで撮影した画像をデジタルフォトフレームで再生表示しても、画像から生ずるイメージ空間に鑑賞者が存在するような臨場感までは付与することができない。このため、鑑賞者が臨場感を体感しつつ、画像を観賞することのできる画像表示装置の出現が期待されるものであった。
【０００８】
本発明は、上記のような期待に応ずべくなされたものであり、鑑賞者が臨場感を体感しつつ、画像を観賞することのできる画像表示装置、画像表示システム、プログラム及び画像表示方法を提供することを目的とする。
【課題を解決するための手段】
【０００９】
前記課題を解決するため、請求項１記載の発明に係る画像表示装置にあっては、撮影により記録された画像データに基づき、表示部に画像を表示させる画像表示装置において、表示する前記画像データの撮影時の撮影位置情報と撮影月日情報を取得する取得部と、前記取得部が取得した前記撮影位置情報と前記撮影月日情報に基づき、該撮影位置の該撮影月日の四季を判断する撮影四季判断部と、前記撮影四季判断部によって判断された四季に応じて前記画像表示装置周囲の温度を制御する空調制御部と、を備えることを特徴とする。
【００１０】
請求項２記載の発明に係る画像表示装置にあっては、撮影により記録された画像データに基づき、表示部に画像を表示させる画像表示装置において、表示する前記画像データを取得する取得部と、前記取得部が取得した前記画像データから表示内容を解析する画像解析部と、前記画像解析部による表示内容の解析結果に基づき、前記画像表示装置周囲の温度を制御する空調制御部と、を備えることを特徴とし、
請求項３記載の発明に係る画像表示装置にあっては、撮影により記録された画像データに基づき、表示部に画像を表示させる画像表示装置において、表示する前記画像データに付加されている音声を取得する取得部と、前記取得部が取得した前記画像データに付加されている音声を解析する音声解析部と、前記音声解析部による音声内容の解析結果に基づき、前記画像表示装置周囲の温度を制御する空調制御部と、を備えることを特徴とする。
【００１１】
請求項４記載の発明に係る画像表示装置にあっては、前記取得部は、前記画像データ又は前記画像データに付加されている音声を取得し、前記取得部が取得した前記画像データから表示内容を解析する画像解析部と、前記取得部が取得した前記画像データに付加されている音声を解析する音声解析部とをさらに備え、前記空調制御部は、前記撮影四季判断部によって判断された四季に応じた温度と、前記画像解析部による表示内容の解析結果又は前記音声解析部による音声内容の解析結果に基づき、前記画像表示装置周囲の温度を制御することを特徴とし、
請求項５記載の発明に係る画像表示装置にあっては、前記空調制御部は、導入した空気の温度を調整する温度調整部を有し、前記導入した空気の吹出風を送出する送風部とを含み、該送風部が送出する吹出風の設定温度を制御することを特徴とする。
【００１２】
請求項６記載の発明に係る画像表示装置にあっては、前記空調制御部は、外部の空調装置の設定温度を制御することを特徴とする。
【００１３】
請求項７記載の発明に係る画像表示装置にあっては、前記空調制御部は、該画像表示装置周囲の温度及び湿度を制御することを特徴とする。
【００２７】
請求項８記載の発明に係る画像表示装置にあっては、相互に無線接続された画像表示装置と空調装置とからなる画像表示装置であって、前記画像表示装置は、前記空調装置に設定温度を無線送信する送信部を備え、前記空調装置は、前記画像表示装置の送信部から送信された前記設定温度を受信する受信部を備えることを特徴とする。
【００２８】
請求項９記載の発明に係る画像表示装置にあっては、前記画像表示装置の送信部は、前記設定温度を赤外線信号により送信し、前記空調装置の受信部は、前記赤外線信号により送信された設定温度を受信することを特徴とする。
【００２９】
請求項１０記載の発明に係るプログラムにあっては、空調を制御する空調制御部を備える画像表示装置が有するコンピュータを、撮影により記録された画像データに基づき、表示部に画像を表示させる画像表示装置において、表示する前記画像データの撮影時の撮影位置情報と撮影月日情報を取得する取得部と、前記取得部が取得した前記撮影位置情報と前記撮影月日情報に基づき、該撮影位置の該撮影月日の四季を判断する撮影四季判断部と、前記撮影四季判断部によって判断された四季に応じて前記画像表示装置周囲の温度を制御する空調制御部として機能させることを特徴とする。
【００３０】
請求項１１記載の発明に係るプログラムにあっては、空調を制御する空調制御部を備える画像表示装置が有するコンピュータを、撮影により記録された画像データに基づき、表示部に画像を表示させる画像表示装置において、表示する前記画像データを取得する取得部と、前記取得部が取得した前記画像データから表示内容を解析する画像解析部と、前記画像解析部による表示内容の解析結果に基づき、前記画像表示装置周囲の温度を制御する空調制御部として機能させることを特徴とし、
請求項１２記載の発明に係る画像表示装置にあっては、空調を制御する空調制御部を備える画像表示装置が有するコンピュータを、撮影により記録された画像データに基づき、表示部に画像を表示させる画像表示装置において、表示する前記画像データに付加されている音声を取得する取得部と、前記取得部が取得した前記画像データに付加されている音声を解析する音声解析部と、前記音声解析部による音声内容の解析結果に基づき、前記画像表示装置周囲の温度を制御する空調制御部として機能させることを特徴とする。
【発明の効果】
【００３１】
本発明によれば、鑑賞者は臨場感を体感しつつ、画像を観賞することができる。
【図面の簡単な説明】
【００３２】
【図１】本発明の第１の実施の形態に係る画像表示装置の外観を示す正面図である。
【図２】同画像表示装置の回路構成を示すブロック図である。
【図３】（ａ）はＲＯＭのメモリ構成図、（ｂ）風温テーブルを示す概念図、（ｃ）は湿度テーブルを示す概念図、（ｄ）は楽曲テーブルを示す概念図である。
【図４】送風ユニットを示すブロック図である。
【図５】第１の実施の形態における処理手順を示すフローチャートである。
【図６】図５に続くフローチャートである。
【図７】表示例を示す図である。
【図８】他の表示例を示す図である。
【図９】本発明の第２実施の形態を示すシステム構成図である。
【図１０】同実施の形態における画像表示装置の回路構成を示すブロック図である。
【図１１】同実施の形態におけるエアコンの回路構成を示すブロック図である。
【図１２】同実施の形態における画像表示装置の処理手順を示すフローチャートである。
【図１３】図１２に続くフローチャートである。
【図１４】同実施の形態におけるエアコンの処理手順を示すフローチャートである。
【発明を実施するための形態】
【００３３】
（第１の実施の形態）
以下、本発明の実施形態について説明する。図１は、本発明の第１の実施の形態に係る画像表示装置１の正面図である。画像表示装置１の正面には、本体２に保持された液晶表示パネルによって構成される表示部３が設けられている。本体２の両側部には、後述する調和風が吹き出される一対の吹出口４が設けられ、下部には、電源スイッチ５及び複数の操作スイッチ６、メモリカードスロット７が設けられている。
【００３４】
なお、本体２の背面部には、外部の空気を画像表示装置１内に吸い込むための吸込口８（図４参照）が設けられている。
【００３５】
図２は、画像表示装置１の電気的構成の概略を示したブロック図である。画像表示装置１は、ＣＰＵ（Central Processing Unit）１１と、ＣＰＵ１１に接続されたＲＯＭ（Read Only Memory）１２、ＲＡＭ（Random Access memory）１３、前記電源スイッチ５と操作スイッチ６とを含むスイッチ部１５、表示コントローラ１６、メモリカードコントローラ１７及び送風コントローラ１９を有している。
【００３６】
ＲＡＭ１３は、ＣＰＵ１１が必要に応じて種々のデータを一時的に記憶する作業用のメモリである。表示コントローラ１６は、ＣＰＵ１１から供給される表示用の画像データに基づき表示部３を駆動することにより、画像データにより表される画像を表示部３に表示させる。
【００３７】
メモリカードコントローラ１７は、メモリカードスロット７に着脱自在に装着された各種のメモリカード１８と、これに接続されたＣＰＵ１１との間におけるデータの入出力を制御する入出力インターフェースである。送風コントローラ１９は、ＣＰＵ１１からの指示に従って送風ユニット２０をフィードバック制御する制御回路である。
【００３８】
図２（ａ）は、ＲＯＭ１２のメモリ構成図である。ＲＯＭ１２には、プログラム記憶部１２が設けられているとともに、四季テーブル１２２、風温テーブル１２３、湿度テーブル１２４、楽曲テーブル１２５が予め記憶されている。
【００３９】
プログラム記憶部１２には、後述するフローチャートで示すプログラム及びその他のプログラムが格納されている。四季テーブル１２２には、春、夏、秋、冬の四季に対応して、当該季節となる月日と緯度・経度とが記憶されている。つまり、同一の月日であっても、北半球と南半球とでは、季節は異なることから、月日のみで四季を特定することはできない。このため、四季テーブル１２２には、春、夏、秋、冬の四季に対応して、当該季節となる月日のみならず当該季節となる緯度・経度とが記憶されている。
【００４０】
ここで、本実施の形態においてメモリカードスロット７に装着されるメモリカード１８は、ＧＰＳ機能を有するデジタルカメラにより撮影された静止画又は動画の画像データが記録されているものである。動画の画像データである場合には、撮影時に取得された周囲の音声も付加されて記録されている。また、各画像データのヘッダには、このデジタルカメラでの撮影時にＧＰＳ機能により取得した撮影位置を示すＧＰＳ情報（緯度・経度）及び撮影月日が記録されている。
【００４１】
したがって、ＣＰＵ１１は、画像データのヘッダに記憶されたＧＰＳ情報と撮影月日とを取得して、四季テーブル１２２を参照することより、当該画像が春、夏、秋、冬のいずれかの四季に撮影されたものであるかを判断することが可能である。
【００４２】
図３（ｂ）は、前記風温テーブル１２３を示す概念図である。この風温テーブル１２３には、吹出風種別「熱風」、「温風」、「涼風」、「冷風」、「寒風」に対応して、各々その規定温度「３６℃」、「２６℃」、「１７℃」、「８℃」、「２℃」が記憶されている。したがって、ＣＰＵ１１は、この風温テーブル１２３を参照して送風コントローラ１９に指示することにより、吹出風種別に応じた温度の吹出風を送風ユニット２０に生成させることが可能である。
【００４３】
図３（ｃ）は、前記湿度テーブル１２４を示す概念図である。この湿度テーブル１２４には、湿度種別「高湿度」、「中湿度」、「低湿度」に対応して、各々その規定温度「８５％」、「５０％」、「３０％」が記憶されている。したがって、ＣＰＵ１１は、この湿度テーブル１２を参照して送風コントローラ１９に指示することにより、湿度種別に応じた湿度の吹出風を送風ユニット２０に生成させることが可能である。
【００４４】
図３（ｄ）は、楽曲テーブル１２５を示す概念図である。この楽曲テーブル１２５には、楽曲種別「ハワイアン」、「サンバ」、「怪談曲」・・・の各ジャンルに属する複数の楽曲データに対応して、風・温度種別「熱風  低湿度」、「熱風  中湿度」、「冷風  高湿度」・・・が記憶されている。したがって、ＣＰＵ１１は、表示すべき動画に楽曲を含む音声が付加されている場合において、楽曲テーブル１２５に記憶されている楽曲と動画に付加されている楽曲とを比較することにより、付加されている楽曲がいずれのジャンルに属するかを識別することができる。さらに、ＣＰＵ１１は、楽曲テーブル１２５を参照することにより、付加されている楽曲がいずれのジャンルに属するかを識別した後、当該ジャンルの楽曲に対応させて、どのような温度及び湿度の吹出風の生成を送風コントローラ１９に指示すべきかを判断することができる。
【００４５】
図４は、前記送風ユニット２０の構成を示す模式図である。送風ユニット２０は、上流端の吸込口８から下流端の吹出口４に至る送風経路２０が設けられている。送風経路２０内には、各々送風コントローラ１９に接続されたファン２２、冷却器２３、加熱器２４、加湿器２５、温度センサ２６及び湿度センサ２７が上流側から下流側に亘って順次配置されている。
【００４６】
ファン２２は、回転に伴って吸込口８から導入した空気を吹出口に導出する。冷却器２３は、例えばペルチェ素子であり、通過風を冷却するとともに除湿する。加熱器２５は、電気的なヒータであり、通過風を加熱する。したがって、この画像表示装置１が配置された室内の湿度（室内湿度）が、前記規定湿度よりも高い場合には、冷却器２３と加熱器２４とを共に動作させることにより、除湿しつつ温度コントロールすることができる。これにより、吹出口４からの吹出風の湿度（吹出風湿度）を規定湿度にすることが可能である。また、冷却器２３と加熱器２４とを動作させることにより、この画像表示装置１が配置された室内の温度（室内温度）に左右されることなく、吹出口４からの吹出風の温度（吹出風温度）を規定温度にすることが可能である。
【００４７】
加湿器２５は、例えば常温の水を微細な水滴にすることにより加湿を行う水噴霧式である。したがって、室内湿度が、前記規定湿度よりも低い場合には、加湿器２５を動作させることにより、吹出口４からの吹出風湿度を規定湿度にすることが可能である。
【００４８】
温度センサ２６は吹出風温を検出して送風コントローラ１９に入力し、湿度センサ２７は吹出風湿度を検出して送風コントローラ１９に入力する。したがって、送風コントローラ１９が入力された吹出風温と吹出風湿度とに基づき、冷却器２３、加熱器２４、加湿器２５をフィードバック制御することにより、吹出風温を規定温度に維持し、吹出風湿度を規定湿度に維持して吹き出させることが可能である。
【００４９】
図５及び図６は、画像表示装置１が有するＣＰＵ１１の処理手順を示す一連のフローチャートである。電源スイッチ５に対する操作により電源オンが設定されているとき、ＣＰＵ１１は、ＲＯＭ１２のプログラム記憶部１２１に記憶されているプログラムに従いこのフローチャートに示すように処理を実行する。
【００５０】
まず、ＣＰＵ１１は、メモリカード１８から表示対象の画像データをＲＡＭ１３に読み込む（ステップＳ１０１）。そして、この読み込んだ画像データのヘッダに記録されている撮影月日データと、ＧＰＳデータと取得する（ステップＳ１０２）。
【００５１】
さらに、この撮影月日データが示す撮影月日とＧＰＳデータが示す撮影位置の緯度・経度に基づき、四季テーブル１２２を検索することにより、撮影した時点の四季である撮影四季が冬であるか否かを判断する（ステップＳ１０３）。撮影四季が冬である場合には、読み込んだ画像データが示す画像における白色の比率が一定以上（例えば、５０％以上）であるか否かを判断する（ステップＳ１０４）。
【００５２】
画像における白色の比率が一定以上である場合には、スキー場、スケート場、雪山等の雪又は氷が存在するシーンの画像であることが想定される。この場合には、最も低い温度の吹出風種別である寒風を設定する（ステップＳ１０５）。したがって、スキー場、スケート場、雪山等の雪又は氷が存在するシーンの画像が表示された際に、吹出口４から寒風が吹き出されることにより臨場感を高めることができる。
【００５３】
しかし、ステップＳ１０４の判断がＮＯであって、画像における白色の比率が一定未満である場合には、撮影四季は冬ではあるが極度の寒さを感じさせないシーンであることが想定される。したがって、この場合には、低温ではあるが最も低い吹出風種別である寒風よりは高い冷風を設定する（ステップＳ１０６）。
【００５４】
引き続き、読み込んだ画像データが示す画像中に雨又は雪を検出できるか否かを判断する（ステップＳ１０７）。このステップＳ１０７での判断に際しては、読み込んだ画像データが示す画像が静止画である場合には、例えば画像中における白色の点在の有無を検出する等により、雨又は雪を検出できるか否かを判断する。読み込んだ画像データが示す画像が動画である場合には、時間的に前後するフレーム画像を比較することにより、白色の点在が変化するか否かにより、雨又は雪を検出できるか否かを判断する。
【００５５】
このステップＳ１０７での判断の結果、雨又は雪を検出できなかった場合には、吹出風湿度として中湿度を設定する（ステップＳ１０８）。雨又は雪を検出できた場合には、湿度が高い環境下で撮影された画像であると想定されることから、吹出風湿度として高湿度を設定する（ステップＳ１０９）。したがって、雨又は雪が降っているシーンの画像が表示された際に、吹出口４から高湿度の風が吹き出されることにより臨場感を高めることができる。
【００５６】
また、ステップＳ１０３での判断の結果、撮影四季が冬でなかった場合には、春であるか否かを判断する（ステップＳ１１０）。春である場合には、吹出風温が冷風よりも高い涼風を吹出風種別として設定する（ステップＳ１１１）。しかる後に、前述したステップＳ１０７〜ステップＳ１０９の処理を実行して、吹出風湿度を設定する。
【００５７】
なお、春である場合には、吹出風温が涼風よりも高い温風を吹出風種別として設定してもよい。
【００５８】
また、ステップＳ１１０での判断の結果、撮影四季が春でなかった場合には、夏であるか否かを判断する（ステップＳ１１２）。撮影四季が夏である場合には、読み込んだ画像データが示す画像における青色の比率が一定以上（例えば、５０％以上）であるか否かを判断する（ステップＳ１１３）。
【００５９】
画像における青色の比率が一定以上である場合には、背景に海が存在し、ビーチで撮影されたシーンの画像であることが想定される。したがって、この場合には、最も高い温度の吹出風種別である熱風を設定する（ステップＳ１１５）。したがって、背景に海が存在し、ビーチで撮影されたシーンの画像が表示された際に、吹出口４から熱風が吹き出されることにより臨場感を高めることができる。
【００６０】
さらに、ステップＳ１１３の判断がＮＯであって、青色の比率が一定未満である場合には、肌色の比率が一定以上（例えば、２０％以上）であるか否かを判断する（ステップＳ１１４）。
【００６１】
このステップＳ１１１での判断に際しては、図７に示すように画像３０１中における人物３０２の顔３０３を先ず認識する。次に、この認識した顔３０３の色が肌色であると特定する。しかる後に、画像における肌色の比率が一定以上であるか否かを判断する。この判断の結果、肌色の比率が一定以上であれば、画像中における人物の肌の露出度は高く、夏の高温状況下で撮影された画像であると想定される。この場合にも、最も高い温度の吹出風種別である熱風を設定する（ステップＳ１１５）。したがって、人物の肌の露出度は高く、夏の高温状況下で撮影された画像が表示された際に、吹出口４から熱風が吹き出されることにより臨場感を高めることができる。
【００６２】
しかし、画像における青色の比率が一定未満であり（ステップＳ１１３：ＮＯ）、かつ肌色の比率の一定未満であれば（ステップＳ１１４：ＮＯ）、撮影四季は夏ではあるが極度の暑さを感じさせないシーンであることが想定される。したがって、この場合には、熱風よりは低い吹出風種別である温風を設定する（ステップＳ１１６）。しかる後に、前述したステップＳ１０７〜ステップＳ１０９の処理を実行して、吹出風湿度を設定する。
【００６３】
また、ステップＳ１１２での判断の結果、撮影四季が夏でなかった場合には、撮影し四季は秋であると断定することができる。撮影四季が秋である場合には、読み込んだ画像データが示す画像における赤の比率が一定以上（例えば、５０％以上）であるか否かを判断する（ステップＳ１１７）。
【００６４】
画像における赤色の比率が一定以上である場合には、図８に示すように画像３０１中に紅葉３０４を有する涼しげな山や高原が存在するシーンが想定される。この場合には、高原等の涼しげな雰囲気を醸し出す吹出風種別である涼風を設定する（ステップＳ１１８）。したがって、画像３０１中に紅葉３０４を有する涼しげな山や高原が存在するシーンの画像が表示された際に、吹出口４から涼風が吹き出されることにより臨場感を高めることができる。
【００６５】
しかし、ステップＳ１１７の判断がＮＯであって、画像における赤色の比率が一定未満である場合には、撮影四季は空きではあるが涼しさは感じさせないシーンであることが想定される。したがって、この場合には、涼風よりも高温の吹出風種別である温風を設定する（ステップＳ１１９）。
【００６６】
なお、ステップＳ１１７の判断がＮＯであって、画像における赤色の比率が一定未満である場合には、吹出風温が涼風よりも低い冷風を吹出風種別として設定してもよい。
【００６７】
引き続き、読み込んだ画像データが示す画像中に雨又は雪を検出できるか否かを判断する（ステップＳ１２０）。このステップＳ１２０での判断内容は、前述したステップＳ１０７と同様である。そして、ステップＳ１２０での判断の結果、雨又は雪を検出できなかった場合には、吹出風湿度として低湿度を設定する（ステップＳ１２１）。
【００６８】
つまり、撮影四季が秋であり雨や雪が降っていなければ、爽やかさを醸し出すために湿度は低くする必要がある。よって、この場合には、吹出風湿度として最も低い湿度である低湿度を設定する。
【００６９】
雨又は雪を検出できた場合には、湿度が高い環境下で撮影された画像であると想定される。しかし、撮影四季は秋であることから、他の季節ほどは湿度が高くないことが想定される。したがって、撮影四季は秋である場合には、雨又は雪を検出できた場合であっても、高湿度を設定することなく中湿度を設定する（ステップＳ１２２）。
【００７０】
そして、ステップＳ１０８、Ｓ１０９、Ｓ１２１、Ｓ１２２のいずれかに続く図６のステップＳ１２３においては、読み込んだ画像に音声が付加されているか否かを判断する。すなわち、前述のように、本実施の形態においてメモリカードスロット７に装着されるメモリカード１８には、静止画又は動画の画像データが記録されており、動画の画像データである場合には、撮影時に取得された周囲の音声も付加されて記録されている。したがって、前記ステップＳ１０１で読み込まれた画像データが静止画である場合には、ステップＳ１２３の判断がＮＯとなる。
【００７１】
よって、ステップＳ１２３からステップＳ１２６に進み、前記ステップＳ１０１で読み込んだ画像を表示部３に表示させる。また、ＣＰＵ１１は、送風コントローラ１９を動作させて送風ユニット２０を制御し、設定温度、及び設定湿度の吹出風を吹出口４から吹き出させる（ステップＳ１２７）。すなわち、ステップＳ１０５、Ｓ１０６、Ｓ１１１、Ｓ１１５、Ｓ１１６、Ｓ１１８、Ｓ１１９で設定された熱風、温風、涼風、冷風、寒風のいずれかであって、ステップＳ１０８、Ｓ１０９、Ｓ１１８、Ｓ１１９で設定された高湿度、中湿度、低湿度のいずれかからなる吹出風を吹出口４から吹き出させる。
【００７２】
この吹出口４から吹き出される吹出風にあっては、表示する画像が撮影された四季に応じた温度であり、かつ画像の特徴を加味した温度である。したがって、吹出口４からの風が画像表示装置１の表示部３にて画像を観賞している鑑賞者の顔等に吹き当たることにより、鑑賞者は臨場感を体感しつつ、画像を観賞することができる。
【００７３】
また、吹出口４から吹き出される吹出風にあっては、表示する画像が撮影された天候に応じた湿度でもある。したがって、吹出口４からの風が画像表示装置１の表示部３にて画像を観賞している鑑賞者の顔等に吹き当たることにより、鑑賞者は一層臨場感を体感しつつ、画像を観賞することができる。
【００７４】
具体的には、図７に示したように、夏の晴天下で肌の露出度が一定以上の人物３０２が存在する画像３０１が表示部３に表示された際には、吹出口４から熱風であって中湿度の吹出風が吹き出されて、鑑賞者の顔等に吹き当たる。これにより、鑑賞者は、夏の晴天下で肌の露出度が一定以上の人物３０２が存在する画像３０１を観賞している状態で、中湿度の熱風による体感的刺激を受け臨場感が高められる。
【００７５】
また、図８に示したように、紅葉３０４を有する涼しげな山や高原が存在する画像３０１が表示部３に表示された際には、吹出口４から涼風であって低湿度の吹出風が吹き出されて、鑑賞者の顔等に吹き当たる。これにより、鑑賞者は、紅葉３０４を有する涼しげな山や高原が存在する画像３０１を観賞している状態で、低湿度の涼風による体感的刺激を受け臨場感が高められる。
【００７６】
引き続き、表示部３に表示する画像を変更するタイミングとなったか否かを判断し（ステップＳ１２８）、画像を変更するタイミングとなったならば、ステップＳ１０１からの処理を繰り返す。また、画像を変更するタイミングとなっていない場合には、電源スイッチ５に対するオフ操作等の終了指示があったか否かを判断し（ステップＳ１２９）、終了指示があった時点でこのフローに従った処理を終了する。
【００７７】
他方、前記ステップＳ１０１で読み込まれた画像データが動画である場合には、ステップＳ１２３の判断がＹＥＳとなる。したがって、ステップＳ１２３からステップＳ１２４に進み、動画に付加されている音声に含まれている曲の曲調が、楽曲テーブル１２５に記憶されているいずれかの曲データの曲調と一致するか否かを判断する。一致しない場合には、ステップＳ１２４からステップＳ１２６に進んで、前述したステップＳ１２６〜Ｓ１２９の処理を実行する。
【００７８】
したがって、読み込まれた画像データが動画であって音声が付加されていても、音声中に楽曲が含まれていない場合、及び音声中に楽曲が含まれていてもその曲調が楽曲テーブル１２５に記憶されている楽曲と一致しない場合には、前述と同様に、ステップＳ１０５、Ｓ１０６、Ｓ１１１、Ｓ１１５、Ｓ１１６、Ｓ１１８、Ｓ１１９で設定された熱風、温風、涼風、冷風、寒風のいずれかであって、ステップＳ１０８、Ｓ１０９、Ｓ１１８、Ｓ１１９で設定された高湿度、中湿度、低湿度のいずれかからなる吹出風が吹出口４から吹き出される。なお、吹出口４から吹き出す風の温度を変更する代わりに、温風及び冷風が吹き出す風の強さを強、中、弱、等、段階的に変更することで、体感温度が変わるようにしても良い。
【００７９】
しかし、ステップＳ１２４の判断がＹＥＳであって、動画に付加されている音声中の楽曲の曲調と楽曲テーブル１２５に記憶されている楽曲の曲調とが一致する場合には、楽曲テーブル１２５を参照して、曲調に対応する風温、湿度に設定変更する（ステップＳ１２５）。したがって、ステップＳ１０５、Ｓ１０６、Ｓ１１１、Ｓ１１５、Ｓ１１６、Ｓ１１８、Ｓ１１９、及びステップＳ１０８、Ｓ１０９、Ｓ１１８、Ｓ１１９でどのような吹出風種別が設定され、湿度が設定されていたとしても、これらをキャンセルして、新たな温風、低湿度が設定される。しかる後に、前述した前述したステップＳ１２６〜Ｓ１２９の処理を実行される。
【００８０】
つまり、例えば一致した曲調が「ハワイアン」であるとすると、図３（ｄ）風・湿度種別は、「熱風」「低湿度」である。したがって、ステップＳ１０５、Ｓ１０６、Ｓ１１１、Ｓ１１５、Ｓ１１６、Ｓ１１８、Ｓ１１９、及びステップＳ１０８、Ｓ１０９、Ｓ１１８、Ｓ１１９でどのような吹出風種別が設定され、湿度が設定されていたとしても、これらをキャンセルして、温風、低湿度が設定される。
【００８１】
したがって、動画に付加された音声中に楽曲テーブル１２５に記憶されている楽曲が含まれている場合には、当該楽曲に応じた温度や湿度の吹出風により、鑑賞者は臨場感を得ることができる。
【００８２】
なお、本実施の形態においては、スピーカ等の音声再生機能を具備しない画像表示装置１を示したが、音声再生機能を具備するようにしてもよい。このような構成にすれば、動画再生において音声も再生することができ、これにより、画像による視覚的刺激、音声に含まれる楽曲により聴覚的刺激、吹出口４からの吹出風による体感的刺激の相乗効果により臨場感を高めることができる。なお、温度調整部は、導入した空気を加熱する加熱部と冷却する冷却部のどちらかしか備えていなくても良い。
【００８３】
（第２の実施の形態）
図９は、本発明の第２の実施の形態に係る画像表示システムの構成を示すシステム構成図である。この画像表示システムは、画像表示装置１００とエアコン２００とで構成されている。
【００８４】
画像表示装置１００は、第１の実施の形態における画像表示装置１とは異なり、吹出口が設けられておらず、赤外線信号を送信するＩｒ送信部１０１が設けられている。なお、表示部３、電源スイッチ５及び複数の操作スイッチ６、メモリカードスロット７が設けられている構成は第１の実施の形態と同様である。
【００８５】
なお、エアコン２００は、画像表示装置１が配置された部屋の壁に取り付けられており、一般的な構成を有している。すなわち、吸込口８と吹出口４とが設けられているとともに、赤外線信号を受信するＩｒ受信部２０１を備えている。
【００８６】
図１０は、画像表示装置１００の電気的構成の概略を示したブロック図である。画像表示装置１００は、第１の実施の形態と同様に、ＣＰＵ１１、ＲＯＭ１２、ＲＡＭ１３、電源スイッチ５と操作スイッチ６とを含むスイッチ部１５、表示コントローラ１６、及びメモリカードコントローラ１７を有している。しかし、送風コントローラ及び送風ユニットは設けられておらず、これに代わって前記Ｉｒ送信部１０１を有しＣＰＵ１１に接続された赤外線送信モジュール１０２が設けられている。赤外線送信モジュール１０２は、ＣＰＵ１１の指示に従って赤外線信号を生成し、Ｉｒ送信部１０１から外部に送信する。
なお、ＲＯＭ１２のメモリ構成は、図２に示した第１の実施の形態と同様である。
【００８７】
図１１は、エアコン２００の構成を示す模式図である。エアコン２００は、送風コントローラ１９及び送風ユニット２０を備えている。送風ユニット２０は、第１の実施の形態と同様に上流端の吸込口８から下流端の吹出口４に至る送風経路２０が設けられている。送風経路２０内には、各々送風コントローラ１９に接続されたファン２２、冷却器２３、加熱器２４、加湿器２５、温度センサ２６及び湿度センサ２７が上流側から下流側に亘って順次配置されている。
但し、冷却器２３は、ペルチェ素子ではなく、冷凍サイクル内に配置されたエバポレータである。
【００８８】
また、エアコン２００は、送風コントローラ１９に接続されたＣＰＵ２０２と、ＣＰＵ２０２に接続されたＲＯＭ２０３、ＲＡＭ２０４、及び赤外線受信モジュール２０３を備え赤外線受信モジュール２０３は前記Ｉｒ受信部２０１を有している。
【００８９】
図１２及び図１３は、本実施の形態における画像表示装置１００が有するＣＰＵ１１の処理手順を示す一連のフローチャートである。電源スイッチ５に対する操作により電源オンが設定されているとき、ＣＰＵ１１は、ＲＯＭ１２のプログラム記憶部１２１に記憶されているプログラムに従いこのフローチャートに示すように処理を実行する。
【００９０】
ここで、図１２に示したフローチャートのステップＳ２０１〜Ｓ２２２の処理は、図５に示した第１の実施の形態のフローチャートにおけるステップＳ１０１〜Ｓ１２２の処理と全て同一である。また、図１３に示したフローチャートにおいて、ステップＳ２２７を除く、ステップＳ２２３〜Ｓ２２６、Ｓ２２８〜Ｓ２２９の処理は、図６に示した第１の実施の形態のフローチャートにおけるステップＳ１２３〜Ｓ１２６、Ｓ１２８〜Ｓ１２９と同一である。
【００９１】
そして、唯一第１の実施の形態とは異なるステップＳ２２７では、設定温度、湿度を示す赤外線信号を隻眼線送信モジュール１０２及びＩｒ送信部１０１を介してエアコンに送信する。
【００９２】
図１４は、エアコン２００が有するＣＰＵ２０２の処理手順を示す一連のフローチャートであり、ＣＰＵ２０２は、ＲＯＭ２０３に記憶されているプログラムに従いこのフローチャートに示すように処理を実行する。すなわち、前記ステップＳ２２７で画像表示装置１００から赤外線送信されてくる設定温度、設定湿度を受信したか否かを判断する（ステップＳ３０１）。設定温度、設定湿度を受信したならば、ＣＰＵ２０２は、送風コントローラ１９を動作させて送風ユニット２０を制御し、設定温度、及び設定湿度の吹出風を吹出口４から吹き出させる（ステップＳ３０２）。
【００９３】
すなわち、ステップＳ２０５、Ｓ２０６、Ｓ２１１、Ｓ２１５、Ｓ２１６、Ｓ２１８、Ｓ２１９で設定された熱風、温風、涼風、冷風、寒風のいずれかであって、ステップＳ２０８、Ｓ２０９、Ｓ２１８、Ｓ２１９で設定された高湿度、中湿度、低湿度のいずれかからなる吹出風を吹出口４から吹き出させる。
【００９４】
この吹出口４から吹き出される吹出風にあっては、表示する画像が撮影された四季に応じた温度であり、かつ画像の特徴を加味した温度である。したがって、吹出口４からの風が画像表示装置１００の表示部３にて画像を観賞している鑑賞者の身体に吹き当たることにより、鑑賞者は臨場感を体感しつつ、画像を観賞することができる。
【００９５】
また、吹出口４から吹き出される吹出風にあっては、表示する画像が撮影された天候に応じた湿度でもある。したがって、吹出口４からの風が画像表示装置１００の表示部３にて画像を観賞している鑑賞者の顔等に吹き当たることにより、鑑賞者は一層臨場感を体感しつつ、画像を観賞することができる。
【００９６】
しかも、本実施の形態においては、エアコン２００を用いることから、大風量での吹き出しが可能となり、設定温度、設定湿度の風を大量に鑑賞者吹き当てて刺激することができる。これにより、鑑賞者に対し高度の臨場感を付与することができる。また、一般的なエアコン２００を利用することから、既に家庭に配置されているエアコンを用いて安価にシステムを構築することができる。
【００９７】
そして、ステップＳ３０２に続くステップＳ３０３で終了指示があったか否かを判断する。終了指示があるまで、ステップＳ３０１からの処理を繰り返し、終了指示があった時点でこのフローに従った処理を終了する。
【００９８】
なお、本実施の形態においては一般的なエアコン２００を利用するようにしたが、専用の送風装置を製造し、画像表示装置と専用の送風装置とでシステムを構成するようにしてもよい。これにより、画像表示装置で画像を観賞している鑑賞者により確実に風が吹き当たる位置に送風装置を配置することができ、効果的に風を鑑賞者に吹き当てることができる。
【符号の説明】
【００９９】
１    画像表示装置
２    本体
３    表示部
４    吹出口
５    電源スイッチ
７    メモリカードスロット
８    吸込口
１１    ＣＰＵ
１２    プログラム記憶部
１２    湿度テーブル
１２    ＲＯＭ
１３    ＲＡＭ
１５    スイッチ部
１６    表示コントローラ
１７    メモリカードコントローラ
１８    メモリカード
１９    送風コントローラ
２０    送風ユニット
２０    送風経路
２２    ファン
２３    冷却器
２４    加熱器
２５    加湿器
２６    温度センサ
２７    湿度センサ
１００    画像表示装置
１０１    Ｉｒ送信部
１０２    赤外線送信モジュール
１０２    隻眼線送信モジュール
１２１    プログラム記憶部
１２２    四季テーブル
１２３    風温テーブル
１２４    湿度テーブル
１２５    楽曲テーブル
２００    エアコン
【図１】
0005622086.tif 000002
【図２】
0005622086.tif 000003
【図３】
0005622086.tif 000004
【図４】
0005622086.tif 000005
【図５】
0005622086.tif 000006
【図６】
0005622086.tif 000007
【図９】
0005622086.tif 000008
【図１０】
0005622086.tif 000009
【図１１】
0005622086.tif 000010
【図１２】
0005622086.tif 000011
【図１３】
0005622086.tif 000012
【図１４】
0005622086.tif 000013
【図７】
0005622086.tif 000014
【図８】
0005622086.tif 000015